(57)【要約】      （修正有）【課題】コイル式レールブレーキ装置を使用したベットであり、患者を初め健康な方でも、肘かけに取り付けたレバーやハンドルを回せば腰元に力を入れられない方でも、らくに折れ曲ってくる装置を提供する。【解決手段】内径側にレール用プーリ２を二つそれを対面方向へ引き合う形と、直線レールであるシャーシ３にもプーリ１０を四つづつ組立てそれをワイヤーロープ２０にて互いに引き合う形とした。【選択図】図１
2007151563.tif 000002
【特許請求の範囲】
【請求項１】
〔コイル式レールブレーキ装置〕は材料に硬いステンレスの丸棒を便用したのが特徴でありますこの材料を従来のコイルスプリングのようにガスバーナーであぶりながら手動の道具を作くって丸棒を丸くじょじょに巻いて行くと約６０ｃｍほどの部品本体が出来あがりますそれをそのほかの部品と組み合せて〔図１〕のような装置にしてベットに便したりイス又ベットやお風呂の中への出入用のイスにしたり玄関用のリフトなどそのほか台所の棚器具などへとこの装置は電力や油などつかわないので又ステン材なのでサビないのでたいへん良い道具であります。
【請求項２】
〔手動式一般用と介護用扇形リクライニングベット〕の幅の中ほどにはトイレを取り付けてありますこのトイレを便用する時はお尻の下を開口を下の台の中に入てから使座をスプリングロックのつまみを回して使座を上げて両足のふとももの間に入て便用しますその後水洗式は〔図８〕の電玉温水器のつまみを回して尻のよごれをおとしてから使座や開口を取り付てある小さな回点レバーを回と元の位置にもどり又寝ることができる介護者のおむついらずが本発明の特徴であります又その両左右に取り付けたコイル式レール装置であり又〔図４と５と６と７〕が足元のリフトの工造であります。
【請求項３】
〔電玉温水器ガラス水槽災害脱出一体装置〕は従来の水洗トイレでは介護者同じ室やに備えるにわそのことを解決するため全部品をガラスケースの中に電玉やオシュレット装置を組み入れた物であり又寒冷地での便用時での冷水では血圧にもよくないので又災害時にベットごと患者を乗せたまま脱出できる車輪〔図１０と１１〕の船形交互車輪を取り付けた物です又健康な方のお室にも照明としても利用しそれと１家だんらんができる又作くれて家族といっしょにお食じが出来ますこのような本発明にて介護者と家族にもやくにたつのが本発明の特徴であります。
【請求項４】
2007151563.tif 000005
思っているそれにこの枕にはふたがあり衛生面を重視したのが本発明の特徴であります。
【請求項５】
〔災害脱出用車輪〕は介護用ベットに取り付けてことがおきた時患者を乗せたまま家の外へすむうすに押し出る時にやくにたつ物であります従来のキヤスターでは段差のある家の敷居を越えるのはままならないのでこの車の特徴である発明は車輪を交互に又船形のシヤアシに取り付け組立た車輪であります。〔図１０と１１〕であります。
【請求項６】
〔りんご形式スプリングバネ〕は従来のコイル式バネは丸い材料を便用した物と板バネを便用ありますがこのりんご形式スプリングバネはこれらの日本のべット内の工造上かかすことのできないりんご形式スプリングバネでありますこのバネの製造工程はプレス機械と金型製造をこの沖縄県に置き働くことの大切さを若者達の意識を高めながら物作りをしてベットの商品化をすすめこの動きを沖縄全土に広ろげ大小の船輪送を活発に進めて行き他の中小企業者の商品も日本の都会へと販売を精力的運べるようにしたいと思っている
【発明の詳細な説明】
【技術分野】
【０００１】本発明〔図１〕は材料である硬い方のステンレスの丸棒を便用それをコイル状に巻いて作くって行きますこの作業にあたり手動式の道具を旋盤やアーク溶接機ヌポール盤などで道具を作ってから硬いステンの丸棒をガスバーナーで赤目ながら折れないように慎重に巻いて行きますこの作業は従来のバイクや自動車などのコイルスプリングとはかなりことなり熱のかけ方によってはすぐに折れるのでじゆくれんの人しか出来ない作業でありますこのステンの丸棒を丸く巻いて作るのが大変な技術分野でバネにつかえない物です。
【背景技術】
【０００２】本発明の私しが考えたのは約１２前からになります又ステン材料はブリキのおもちやなどの東京の町工場の時代にはなかった材料の特徴でありそれが現在ではわりと買えるようになりそこで物作を商品化しコイル式レールブレーキ装置組立る部品を作ることにきめ行動してこれを初めに手動式一般用と介護用扇形リクライニングベットに応用して出願をした又その他の商品にも応用して行くものであります。
【発明の開示】
【０００３】  特開平成７年で７−２７５０８３
特開平成１０年で１０−５７１９３
特許権者特等３１４４４９０
特開２００３−１１８３０４
特開２００１−３４７８０２
【発明が解決しようとする課題】
【０００４】本発明はコイル式レールブレーキ装置を便用したベットであり患者を初め健康な方でもひじかけに取り付けたレバーやハンドルを回せば腰元に力を入れられない方でもらくに折れ曲ってくる工夫をした装置であります従来の商品はみんなスプリング止め金具を便用しいたため金具の音がガチヤガチヤとし又その人が起る時自ら腰に力を入れて起ることがいままでのやり方でありましたそのことを本発明は解決し又この装置を便用すると足元がベットに上がれない人患者さんのリフトにも出来るのが手動式介護用ベットなのでありこの本発明の大きな特徴であります。
【課題を解決するための手段】
【０００５】この本発明には電力や油など便用していないため水場であるお風呂場などにも永久的にサビないステンの丸棒工やシヤーシを便用していますから感電と油もれがないこれを解決の手段である大きな目標がこのコイル式レールブレーキの装置で又内径側にレール用プリーを２ッそれを対面方行へ引き合う形と＋直線レールであるシヤーシにもプリーを４ッづつ組立それをワイヤーロープにて互いに引き合う形の装置が本発明の特徴であります。
【発明の効果】
【０００６】本発明の効果は初めの手動式ベットを目標でその動ごかす心臓部に利用ことにしましたがその他の方行にも便用してゆく物で将来人間生活のやくにたつと思います
【発明を実施するための最良の形態・実施例】
【０００７】本発明〔図１〕を製作するためステン加工が出来る鉄工所へ行きその工場の旋盤とアーク溶接機やボール盤とドリル又油やガスバーナなどをその工場の御主人から借りてから材料のステンレスの丸棒を買いに行ってそのための手動の道具を作ってからステンレスの硬い丸棒をガスバーナで焙りながら丸るく巻いて行く作業をし又プリーを旋盤で削りそれに穴と脇にネジを切ったりしてある後は組立るだけにしてある尚この硬いステンレスはスプリングバネとしてつかえませんですこのステンを回るく巻くした部品はコイル式レールブレーキ装置専用の物であります。
【産業上の利用可能性】
【０００８】この本発明によりこの日本を初め多くの所で可能なかぎり利用した人間社会に＋になると思っていますそのため初めに手動式一般用のベットと介護用ベットは日本式の綿ふとん加工と鉄工工場の機械工場と材木工場それを輪送する船やトラックなど便用しますこの地沖縄県全体の物作り産業界の中真になると思います又このコイル式レールブレーキ装置はいろんな人間生活社会の安全利用機器にやくにたつものでありますそれと新らなリンゴ形式スプリングバネは従来のベット内蔵の中へスポンジと共に国内外向け用のベットや椅子などのクツシヨンに利用可能性は大であります。
2007151563.tif 000003
2007151563.tif 000004
【図１】
2007151563.tif 000006
【図２】
2007151563.tif 000007
【図３】
2007151563.tif 000008
【図４】
2007151563.tif 000009
【図５】
2007151563.tif 000010
【図６】
2007151563.tif 000011
【図７】
2007151563.tif 000012
【図８】
2007151563.tif 000013
【図９】
2007151563.tif 000014
【図１０】
2007151563.tif 000015
【図１１】
2007151563.tif 000016
【図１２】
2007151563.tif 000017
【図１３】
2007151563.tif 000018
【図１４】
2007151563.tif 000019